(57)【要約】【課題】底部に設けた照明装置のメンテナンスを容易に行うことができるウォールキャビネットを提供する。【解決手段】底部に内底板を有するキャビネット本体と、前記内底板よりも下方に設けられる外底板と、前記内底板と外底板との間に位置し、下方に光を照射する照明装置と、前記キャビネット本体に前記外底板を吊り下げる吊り下げ機構と、を備え、前記吊り下げ機構は、前記キャビネット本体に前記外底板を吊り下げた状態で、前記内底板から前記外底板を離間させることが可能なウォールキャビネット。【選択図】図２
2019141498.tif 000002
【特許請求の範囲】
【請求項１】
底部に内底板を有するキャビネット本体と、
前記内底板よりも下方に設けられる外底板と、
前記内底板と外底板との間に位置し、下方に光を照射する照明装置と、
前記キャビネット本体に前記外底板を吊り下げる吊り下げ機構と、
を備え、
前記吊り下げ機構は、前記キャビネット本体に前記外底板を吊り下げた状態で、前記内底板から前記外底板を離間させることが可能なウォールキャビネット。
【請求項２】
前記吊り下げ機構は、前記外底板を前記内底板から離間させた位置で支持可能な請求項１記載のウォールキャビネット。
【請求項３】
前記吊り下げ機構は、前記外底板を支持する位置を複数個所から選択可能な請求項２記載のウォールキャビネット。
【請求項４】
前記外底板は、前記照明装置を設置可能な照明装置受け部を有する請求項１〜３のいずれか１つに記載のウォールキャビネット。
【発明の詳細な説明】
【技術分野】
【０００１】
本発明の態様は、一般的に、ウォールキャビネットに関する。
【背景技術】
【０００２】
従来、シンクや調理台などを明るく照らすために底部に照明装置を取り付けたウォールキャビネットがある。このウォールキャビネットにおいて、照明装置の修理や交換などのメンテナンスを容易にするための構造が知られている。例えば、特許文献１では、ウォールキャビネットの底部に照明装置を取り付け、その底部を内底板と外底板との二重底にしている。これにより、内底板を取り外すことで照明装置のメンテナンスが可能となる。
【先行技術文献】
【特許文献】
【０００３】
【特許文献１】実開平６−８６５８４号公報
【発明の概要】
【発明が解決しようとする課題】
【０００４】
しかしながら、特許文献１のような構造では、照明装置の修理や交換などのメンテナンスの際に内底板を取り外す必要がある。この際、キャビネット内が広いと、その分内底板のサイズが大きくなることにより、内底板の重量が重くなる。そのため、内底板を取り外す作業を一人で行うことが困難となる等手間を要するといった課題が発生する。
【０００５】
本発明は、かかる課題の認識に基づいてなされたものであり、底部に設けた照明装置のメンテナンスを容易に行うことができるウォールキャビネットを提供することを目的とする。
【課題を解決するための手段】
【０００６】
第１の発明は、底部に内底板を有するキャビネット本体と、前記内底板よりも下方に設けられる外底板と、前記内底板と外底板との間に位置し、下方に光を照射する照明装置と、前記キャビネット本体に前記外底板を吊り下げる吊り下げ機構と、を備え、前記吊り下げ機構は、前記キャビネット本体に前記外底板を吊り下げた状態で、前記内底板から前記外底板を離間させることが可能なウォールキャビネットである。
【０００７】
このウォールキャビネットによれば、吊り下げ機構により、天吊り状態（内底板に外底板を吊り下げた状態）を維持したまま、外底板をキャビネット本体から離間させることができる。そのため、照明装置の修理や交換などのメンテナンスの際に、照明装置の一部を隠蔽している外底板を取り外す必要がない。従って、外底板が重い場合においても、外底板を取り外すことなく照明装置を外部に開放することができ、照明装置の修理や交換などのメンテナンスが容易となる。また、キャビネット本体の外部にある外底板をキャビネット本体の外部（下方）に向かって動かすため、キャビネット本体内部の収納空間を圧迫しない。つまり、メンテナンスの際にキャビネット本体内部の収納物を取り除くことなく、作業を行うことができる。従って、底部に設けた照明装置のメンテナンスを容易に行うことができるウォールキャビネットを提供することができる。
【０００８】
第２の発明は、第１の発明において、前記吊り下げ機構は、前記外底板を前記内底板から離間させた位置で支持可能なウォールキャビネットである。
【０００９】
このウォールキャビネットによれば、メンテナンス時に外底板が意図せず内底板に対し離間又は接近することを防ぐためにメンテナンス者が例えば、片側の手で外底板を内底板から離間させた位置で支持する必要がなく、メンテナンス者は両手で作業することが可能となり、メンテナンスがより容易になる。
【００１０】
第３の発明は、第２の発明において、前記吊り下げ機構は、前記外底板を支持する位置を複数個所から選択可能なウォールキャビネットである。
【００１１】
このウォールキャビネットによれば、メンテナンス者にとって適切な位置（高さ）で外底板を支持することが可能であり、メンテナンスがより容易である。また、必要以上に外底板を内底板から離間させることがなく、外底板を通常使用時の位置へ戻すことが容易である。
【００１２】
第４の発明は、第１〜第３のいずれか１つの発明において、前記外底板は、前記照明装置を設置可能な照明装置受け部を有するウォールキャビネットである。
【００１３】
このウォールキャビネットによれば、照明装置を設置した外底板をキャビネット本体の底板（内底板）に取り付けるだけで、ウォールキャビネットに照明装置を取り付けることができる。つまり、照明装置が設置されていないウォールキャビネットに容易に照明装置を後付けすることができる。
【発明の効果】
【００１４】
本発明の態様によれば、底部に設けた照明装置を容易にメンテナンスできるウォールキャビネットが提供される。
【図面の簡単な説明】
【００１５】
【図１】実施形態に係るウォールキャビネットを設置したシステムキッチンを模式的に表す正面図である。
【図２】図２（ａ）及び図２（ｂ）は、実施形態に係るウォールキャビネットを模式的に表す斜視図である。
【図３】実施形態に係るウォールキャビネットを模式的に表す分解斜視図である。
【図４】図４（ａ）及び図４（ｂ）は、実施形態に係るウォールキャビネットの吊り下げ機構を模式的に表す断面図である。
【図５】実施形態の変形例に係るウォールキャビネットを模式的に表す斜視図である。
【図６】図６（ａ）及び図６（ｂ）は、実施形態の変形例に係るウォールキャビネットの吊り下げ機構を模式的に表す断面図である。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、実施形態に係るウォールキャビネットを設置したシステムキッチンを模式的に表す正面図である。  
図１に表したように、システムキッチン１００は、フロアキャビネット１１０と、カウンタ１２０と、ウォールキャビネット１０及び１１と、を備える。
【００１７】
本願明細書においては、ウォールキャビネット１０と向き合う使用者からみて手前側を「前方」とし、奥側を「後方」とし、上側を「上方」とし、下側を「下方」とし、右側を「右側方」とし、左側を「左側方」とする。
【００１８】
フロアキャビネット１１０は、床面に設置されている。フロアキャビネット１１０の背面は、例えば、フロアキャビネット１１０の後方に立ち上がる壁面に当接する。フロアキャビネット１１０は、本体部１１０ａと、５つの引き出し１１０ｂ〜１１０ｆと、を有する。本体部１１０ａは、前方を開口させた略直方体の開口箱状である。
【００１９】
各引き出し１１０ｂ〜１１０ｆは、上方を開口させた略直方体の開口箱状である。各引き出し１１０ｂ〜１１０ｆは、本体部１１０ａに前後に移動可能に支持され、本体部１１０ａ内に収納された収納位置（図１に表した位置）と、本体部１１０ａから前方に引き出された引出位置と、に移動する。各引き出し１１０ｂ〜１１０ｆは、収納位置にある状態において、本体部１１０ａの前方の開口を塞ぐ。そして、各引き出し１１０ｂ〜１１０ｆは、引出位置にある状態において、内部に物品を収納可能とする。
【００２０】
なお、引き出しの数は、５つに限ることなく、４つ以下でもよいし、６つ以上でもよい。また、フロアキャビネット１１０は、引き出し式のキャビネットに限ることなく、扉式のキャビネットでもよい。
【００２１】
カウンタ１２０は、フロアキャビネット１１０の上に設けられている。カウンタ１２０には、物品を載置可能である。この例では、カウンタ１２０に、電子レンジや炊飯器などの調理家電が載置されている。カウンタ１２０を調理台として使用することもできる。
【００２２】
ウォールキャビネット１０及び１１は、カウンタ１２０よりも上方に設けられている。ウォールキャビネット１０及び１１は、フロアキャビネット１１０及びカウンタ１２０の後方に立ち上がる壁面に、例えば、ネジ止めなどにより固定される。ウォールキャビネット１０及び１１は、左右方向に並ぶように設けられている。ウォールキャビネット１１の構成は、ウォールキャビネット１０の構成と実質的に同じである。
【００２３】
ウォールキャビネット１０の前面には、扉８０ａ及び８０ｂが設けられている。ウォールキャビネット１１の前面には、扉８０ｃ及び８０ｄが設けられている。なお、ウォールキャビネット１０及び１１に設けられる扉の数は、２枚に限ることなく、１枚でもよいし、３枚以上でもよい。
【００２４】
図２（ａ）及び図２（ｂ）は、実施形態に係るウォールキャビネットを模式的に表す斜視図である。  
図３は、実施形態に係るウォールキャビネットを模式的に表す分解斜視図である。  
図４（ａ）及び図４（ｂ）は、実施形態に係るウォールキャビネットの吊り下げ機構を模式的に表す断面図である。
【００２５】
図２（ａ）、図２（ｂ）、図３、図４（ａ）、及び図４（ｂ）に表したように、ウォールキャビネット１０は、キャビネット本体２０と、外底板３０と、吊り下げ機構４０と、照明装置５０と、照明操作部６０と、照明制御部７０と、を備える。なお、図２（ａ）、図２（ｂ）、図３、図４（ａ）、及び図４（ｂ）は、扉８０ａ及び８０ｂを取り外した状態を表している。
【００２６】
キャビネット本体２０は、前方を開口させた略直方体の開口箱状である。キャビネット本体２０は、内底板２０ａと、上板２０ｂと、背板２０ｃと、一対の側板２０ｄと、を有する。内底板２０ａ及び上板２０ｂは、前後方向及び左右方向に沿って拡がっている。上板２０ｂは、内底板２０ａの上方に位置する。背板２０ｃは、上下方向及び左右方向に沿って拡がっている。一対の側板２０ｄは、上下方向及び前後方向に沿って拡がっている。内底板２０ａ、上板２０ｂ、及び背板２０ｃは、左右方向において、一対の側板２０ｄの間に位置する。内底板２０ａ、上板２０ｂ、背板２０ｃ、及び一対の側板２０ｄに囲まれた収納空間に物品を収納することができる。
【００２７】
各側板２０ｄには、扉８０ａ又は８０ｂを上下方向を軸に回転可能に軸支する２つの軸支部８２が設けられている。これらの軸支部８２により、各扉８０ａ及び８０ｂは、キャビネット本体２０の前方の開口を塞ぐ閉じ位置（図１に表した位置）と、キャビネット本体２０の前方の開口を露呈させる開き位置と、に移動する。また、上板２０ｂには、各扉８０ａ及び８０ｂが閉じ位置にある際に、各扉８０ａ及び８０ｂを係止する係止部８４が設けられている。係止部８４は、例えば、各扉８０ａ及び８０ｂに設けられた突起部と係合し、各扉８０ａ及び８０ｂを係止する。
【００２８】
内底板２０ａには、上下方向に貫通する第１開口部２１が設けられている。この例では、第１開口部２１は、内底板２０ａの左側方側の後部に位置する。第１開口部２１の上方には、照明制御部７０が設置される。第１開口部２１は、上方に照明制御部７０が設置される位置に設けられる。
【００２９】
背板２０ｃには、前後方向に貫通する第２開口部２２が設けられている。この例では、第２開口部２２は、背板２０ｃの左側方側の下部に位置する。第２開口部２２の前方には、照明制御部７０が設置される。第２開口部２２は、前方に照明制御部７０が設置される位置に設けられる。
【００３０】
外底板３０は、キャビネット本体２０の内底板２０ａよりも下方に設けられている。外底板３０は、吊り下げ機構４０により、内底板２０ａに吊り下げられている。外底板３０の下面は、外部（下方）に露出している。外底板３０は、前後方向及び左右方向に沿って拡がっている。外底板３０は、ウォールキャビネット１０の使用時において、キャビネット本体２０の内底板２０ａに最も近づく。例えば、ウォールキャビネット１０の使用時において、外底板３０の上面は、キャビネット本体２０の内底板２０ａの下面に当接する（図２（ａ）参照）。このとき、外底板３０は、内底板２０ａに対し略平行である。ここでいう略平行は、例えば、外底板３０と内底板２０ａとがなす角度が０度±５度の状態である。なお、外底板３０は、背板２０ｃ又は側板２０ｄに吊り下げられていてもよい。
【００３１】
外底板３０の前後方向の幅は、キャビネット本体２０の下面の前後方向の幅と実質的に同じである。外底板３０の左右方向の幅は、キャビネット本体２０の下面の左右方向の幅と実質的に同じである。外底板３０の厚さは、内底板２０ａの厚さと実質的に同じである。
【００３２】
外底板３０には、上下方向に貫通する第１孔部３１が設けられている。この例では、第１孔部３１は、外底板３０の左右方向の中央部の前方側に位置する。第１孔部３１は、任意の位置に設けることができる。また、外底板３０の上面には、第１孔部３１から内底板２０ａの第１開口部２１に対応する位置まで続く溝部３４が設けられている。この例では、溝部３４は、第１孔部３１の後端から左側方に延び、左側端に達しない位置から後方に延びている。溝部３４は、任意の位置に設けることができる。後述のように、第１孔部３１には、照明装置５０の照明部５２が嵌合され、溝部３４には、照明装置５０の配線部５４が配置される。つまり、第１孔部３１及び溝部３４は、照明装置５０を設置するための照明装置受け部として機能する。
【００３３】
また、外底板３０には、上下方向に貫通する第２孔部３２が設けられている。この例では、第２孔部３２は、外底板３０の左側方側の後部に位置する。第２孔部３２は、例えば、内底板２０ａの第１開口部２１に対応する位置に設けられる。後述のように、第２孔部３２には、照明操作部６０の操作スイッチ６２が嵌合される。
【００３４】
吊り下げ機構４０は、キャビネット本体２０に外底板３０を吊り下げる。この例では、吊り下げ機構４０は、内底板２０ａに外底板３０を吊り下げている。吊り下げ機構４０は、キャビネット本体２０（例えば、内底板２０ａ）に外底板３０を吊り下げた状態（天吊り状態）で、内底板２０ａから外底板３０を離間させることが可能である。この例では、吊り下げ機構４０は、内底板２０ａ及び外底板３０の四隅に設けられた４組のボルト４２及びナット４４である。各ナット４４は、内底板２０ａの上面に設けられている。各ボルト４２は、外底板３０の下面から上方に向かって、外底板３０及び内底板２０ａを貫通するように設けられている。各ボルト４２の上端は、各ナット４４に螺合されている。これらのボルト４２及びナット４４により、外底板３０は、内底板２０ａに吊り下げられている。
【００３５】
図２（ａ）及び図４（ａ）に表したように、ウォールキャビネット１０の使用時には、各ボルト４２が締められ、外底板３０は内底板２０ａの下面に当接する位置まで上げられる。一方、図２（ｂ）及び図４（ｂ）に表したように、ウォールキャビネット１０のメンテナンス時には、各ボルト４２が緩められ、外底板３０は内底板２０ａの下面から離間する位置まで下げられる。このとき、各ボルト４２の上端を各ナット４４に螺合させたままとすることで、外底板３０を内底板２０ａから離間させた位置で支持することができる。換言すれば、各ナット４４は、外底板３０を内底板２０ａから離間させた位置で規制する規制手段である。また、このとき、各ボルト４２の緩め具合を調整することで、外底板３０を支持する位置を調整することができる。つまり、外底板３０を支持する位置（高さ）を任意の位置にすることができる。これにより、内底板２０ａと外底板３０との間の隙間の上下方向の幅を任意の幅に調整することができる。また、このとき各ボルト４２のねじ部にマークを付けておくことで、支持する位置の指標とすることも好ましい。
【００３６】
照明装置５０は、内底板２０ａと外底板３０とから形成される空間に収納されている。照明装置５０は、照明部５２と、配線部５４と、を有する。照明部５２は、外底板３０に設けられた第１孔部３１に嵌合されており、ウォールキャビネット１０の下方に光を照射する。照明部５２は、例えば、ＬＥＤ（Light Emitting Diode）などの発光素子を有する。照明部５２は、例えば、複数の発光素子を有し、各発光素子を点灯させることにより、ウォールキャビネット１０の下方を照らす。
【００３７】
配線部５４は、照明部５２と照明制御部７０とを接続する。配線部５４は、内底板２０ａと外底板３０との間に位置し、外底板３０により隠蔽される。この例では、配線部５４は、外底板３０の上面に設けられた溝部３４に沿って配置される。外底板３０の上面に溝部３４を設ける代わりに、内底板２０ａの下面に溝部を設け、配線部５４をこの溝部に沿って配置してもよい。また、外底板３０の上面及び内底板２０ａの下面の両方に溝部を設け、配線部５４をこれらの溝部に沿って配置してもよい。
【００３８】
照明操作部６０は、操作スイッチ６２と、配線部６４と、を有する。操作スイッチ６２は、外底板３０の下面に設けられる。操作スイッチ６２は、例えば、照明制御部７０の下に位置する。操作スイッチ６２を操作することで、照明装置５０の照明部５２の点灯及び消灯を切り替えることができる。操作スイッチ６２は、使用者が手動で操作可能である。配線部６４は、操作スイッチ６２と照明制御部７０とを接続する。
【００３９】
照明制御部７０は、キャビネット本体２０の収納空間内部に収納される。照明制御部７０は、キャビネット本体２０の内底板２０ａの第１開口部２１の上方に設置される。照明制御部７０は、例えば、ネジ止めなどにより、キャビネット本体２０の内底板２０ａの上面に固定される。照明制御部７０には、照明装置５０の配線部５４、照明操作部６０の配線部６４、及びキャビネット本体２０の外部からの電源コードなどが接続される。
【００４０】
照明装置５０の配線部５４は、照明装置５０の照明部５２から、外底板３０の溝部３４を通り、内底板２０ａの第１開口部２１を通って、照明制御部７０に接続される。照明操作部６０の配線部６４は、照明操作部６０の操作スイッチ６２から、内底板２０ａの第１開口部２１を通って、照明制御部７０に接続される。電源コードは、キャビネット本体２０の外部（例えば、ウォールキャビネット１０が当接する壁面）から、背板２０ｃの第２開口部２２を通って、照明制御部７０に接続される。
【００４１】
照明制御部７０は、操作スイッチ６２における操作に基づいて、照明部５２に電源を供給する。これにより、操作スイッチ６２で照明部５２の点灯及び消灯を切り替えることができる。
【００４２】
以上、説明したように、実施形態に係るウォールキャビネット１０によれば、吊り下げ機構４０（ボルト４２及びナット４４）により、内底板２０ａに外底板３０を吊り下げた状態を維持したまま、外底板３０を内底板２０ａから離間させることができる。そのため、照明装置５０の修理や交換などのメンテナンスの際に、外底板３０を取り外す必要がない。従って、外底板３０が重い場合においても、外底板３０を取り外すことなく照明装置５０を外部に開放することができ、照明装置５０の修理や交換などのメンテナンスが容易となる。これにより、外底板３０が重い場合においても、照明装置５０のメンテナンスを、一人でも安全かつ容易に行うことができる。
【００４３】
また、実施形態に係るウォールキャビネット１０によれば、キャビネット本体２０の外部にある外底板３０をキャビネット本体２０の外部（下方）に向かって動かすため、キャビネット本体２０内部の収納空間を圧迫しない。つまり、メンテナンスの際にキャビネット本体２０内部の収納物を取り除くことなく、作業を行うことができる。
【００４４】
また、上記のように、外底板３０を内底板２０ａから離間させた位置で支持可能な吊り下げ機構４０を設けることで、メンテナンス時に外底板３０が意図せず内底板２０ａに対し離間又は接近することを防ぐためメンテナンス者が例えば、片側の手で外底板３０を内底板２０ａから離間させた位置で支持する必要がなく、メンテナンス者は両手で作業することが可能となり、メンテナンスがより容易になる。
【００４５】
さらに、上記のように、外底板３０を支持する位置を複数個所から選択可能な吊り下げ機構４０を設けることで、メンテナンス者にとって適切な位置（高さ）で外底板３０を支持することが可能であり、メンテナンスがより容易である。また、必要以上に外底板３０を内底板２０ａから離間させることがなく、外底板３０を通常使用時の位置へ戻すことが容易である。
【００４６】
さらに、上記のように、照明装置５０を設置可能な照明装置受け部（第１孔部３１及び溝部３４）を有する外底板３０を設けることで、照明装置５０を設置した外底板３０を内底板２０ａに取り付けるだけで、ウォールキャビネット１０に照明装置５０を取り付けることができる。つまり、照明装置５０が設置されていないウォールキャビネットに容易に照明装置５０を後付けすることができる。
【００４７】
なお、吊り下げ機構４０は、上記のボルト４２及びナット４４に限定されず、キャビネット本体２０（例えば、内底板２０ａ）に外底板３０を吊り下げることができ、キャビネット本体２０に外底板３０を吊り下げた状態で、内底板２０ａから外底板３０を離間させることができる任意の構成でよい。吊り下げ機構４０は、例えば、両端部が内底板２０ａ及び外底板３０に固定され、内底板２０ａを外底板３０に引き寄せるばねであってもよい。吊り下げ機構４０がこのようなばねであれば、メンテナンス時には、外底板３０を引き下げることで、外底板３０を内底板２０ａから離間させることができる。
【００４８】
また、吊り下げ機構４０は、内底板２０ａ及び外底板３０に固定された蝶番であってもよい。以下、吊り下げ機構４０が蝶番である変形例について説明する。  
図５は、実施形態の変形例に係るウォールキャビネットを模式的に表す斜視図である。
図６（ａ）及び図６（ｂ）は、実施形態の変形例に係るウォールキャビネットの吊り下げ機構を模式的に表す断面図である。
【００４９】
図５、図６（ａ）、及び図６（ｂ）に表したように、ウォールキャビネット１０Ａにおいて、吊り下げ機構４０Ａは、蝶番４６である。蝶番４６は、内底板２０ａの下面及び外底板３０の上面の後部に、例えば、ネジ止めなどにより固定されている。蝶番４６は、外底板３０の後端を左右方向を軸に回転可能に軸支する。この蝶番４６により、外底板３０は、内底板２０ａに吊り下げられている。また、この例では、内底板２０ａ及び外底板３０の前方側の隅に２組のボルト４２及びナット４４が設けられている。ボルト４２及びナット４４の構成は、上記と同様の構成でよい。
【００５０】
図６（ａ）に表したように、ウォールキャビネット１０Ａの使用時には、外底板３０は内底板２０ａの下面に当接する位置まで上げられ、各ボルト４２の上端は各ナット４４に螺合され、各ボルト４２が締められる。一方、図６（ｂ）に表したように、ウォールキャビネット１０Ａのメンテナンス時には、各ボルト４２が緩められ、各ナット４４から外れることで、外底板３０は蝶番４６を軸にして回動し、内底板２０ａの下面から離間する。このとき、蝶番４６により、外底板３０を内底板２０ａから離間させた位置で支持することができる。
【００５１】
以上、説明したように、変形例に係るウォールキャビネット１０Ａにおいても、吊り下げ機構４０Ａにより、天吊り状態を維持したまま、外底板３０を内底板２０ａから離間させることができる。従って、底部に設けた照明装置５０の修理や交換などのメンテナンスを容易に行うことができるウォールキャビネットを提供することができる。
【００５２】
なお、ボルト４２及びナット４４の代わりに、例えば、内底板２０ａ及び外底板３０の前方側にスナップフィットなどの係合手段を設けて、外底板３０を内底板２０ａの下面に当接する位置で支持してもよい。
【００５３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ウォールキャビネット１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５４】
１０、１０Ａ、１１ ウォールキャビネット、  ２０ キャビネット本体、  ２０ａ 内底板、  ２０ｂ 上板、  ２０ｃ 背板、  ２０ｄ 側板、  ２１、２２ 第１、第２開口部、  ３０ 外底板、  ３１、３２ 第１、第２孔部、  ３４ 溝部、  ４０、４０Ａ 吊り下げ機構、  ４２ ボルト、  ４４ ナット、  ４６ 蝶番、  ５０ 照明装置、  ５２ 照明部、  ５４ 配線部、  ６０ 照明操作部、  ６２ 操作スイッチ、  ６４ 配線部、  ７０ 照明制御部、  ８０ａ〜８０ｄ 扉、  ８２ 軸支部、  ８４ 係止部、  １００ システムキッチン、  １１０ フロアキャビネット、  １１０ａ 本体部、  １１０ｂ〜１１０ｆ 引き出し、  １２０ カウンタ
【図１】
2019141498.tif 000003
【図２】
2019141498.tif 000004
【図３】
2019141498.tif 000005
【図４】
2019141498.tif 000006
【図５】
2019141498.tif 000007
【図６】
2019141498.tif 000008